(57)【要約】      （修正有）【課題】メインボードから離れる方向（看者側）に煽られることなく横方向にスライド移動可能なスクリーンを容易に取り付けることができる設置装置【解決手段】本発明における可動式スクリーンの設置装置１００は、既設のメインボード１０の上方部に当該メインボードの上辺に沿って配置される上方部ガイドレール１１０と、スクリーン３０を保持するとともに、前記上方部ガイドレールに沿って横方向にスライド移動可能な保持手段１２０と、前記メインボードの下方部に当該メインボードの下辺に沿って配置され、両端領域に第１の係止手段１４０Ａを構成する下方部ガイドレール１３０と、前記保持手段のうち下部領域に配置され、両端領域に第２の係止手段１４０Ｂを構成する移動ガイドレールと、前記下方部ガイドレールおよび移動ガイドレール１５０に沿って横方向にスライド移動可能なスライド制御部材１６０とを備える。【選択図】図１
2019184712.tif 000002
【特許請求の範囲】
【請求項１】
既設のメインボードに対して横方向にスライド移動可能なスクリーンを設置するための可動式スクリーンの設置装置であって、
前記メインボードの上方部に当該メインボードの上辺に沿って略水平方向に配置されるとともに、当該メインボードの上辺が略水平方向に延びる方向に沿って当該メインボードの領域外に延びるように配置される上方部ガイドレールと、
前記スクリーンを保持するとともに、前記上方部ガイドレールに沿って横方向にスライド移動可能な保持手段と、
前記メインボードの下方部に当該メインボードの下辺に沿って略水平方向に配置され、両端領域に第１の係止手段を構成する下方部ガイドレールと、
前記保持手段のうち下部領域に略水平方向に延びるように配置され、両端領域に第２の係止手段を構成する移動ガイドレールと、
前記下方部ガイドレールおよび前記移動ガイドレールに沿って横方向にスライド移動可能なスライド制御部材とを備える、可動式スクリーンの設置装置。
【請求項２】
前記スライド制御部材は、
前記下方部ガイドレールの両端領域それぞれにおいて前記第１の係止手段によって係止され、
前記移動ガイドレールに対する相対位置が変動可能であるとともに、当該移動ガイドレールの両端領域それぞれにおいて前記第２の係止手段によって係止されることを特徴とする、請求項１に記載の可動式スクリーンの設置装置。
【請求項３】
前記スライド制御部材は、前記移動ガイドレールに係合しつつ、相対的にスライド移動可能な構成であることを特徴とする、請求項１または請求項２に記載の可動式スクリーンの設置装置。
【請求項４】
前記移動ガイドレールは、両端領域に金属製部材を含むように構成されており、
前記スライド制御部材は、前記金属製部材で構成された領域に当接するマグネットを含むように構成されていることを特徴とする、請求項１乃至請求項３のいずれかに記載の可動式スクリーンの設置装置。
【請求項５】
前記スライド制御部材は、前記移動ガイドレールを摺動または転動するガイドローラーを含むように構成されていることを特徴とする、請求項１乃至請求項４のいずれかに記載の可動式スクリーンの設置装置。
【請求項６】
前記下方部ガイドレールは、前記スライド制御部材が当該下方部ガイドレールに沿って横方向にスライド移動する際に、前記メインボードから離れる方向への前記スライド制御部材の移動を規制するように構成されていることを特徴とする、請求項１乃至請求項５のいずれかに記載の可動式スクリーンの設置装置。
【請求項７】
前記第１の係止手段は、前記下方部ガイドレールの両端領域それぞれを閉口するように構成されており、前記下方部ガイドレールに沿って横方向にスライド移動するスライド制御部材が、当該両端領域それぞれにおいて、前記メインボードの中央部から離れる外側方向へ移動することを規制することを特徴とする、請求項１乃至請求項６のいずれかに記載の可動式スクリーンの設置装置。
【請求項８】
前記保持手段は、プロジェクタを保持するプロジェクタ保持部を有し、当該プロジェクタからの画像は、前記スクリーンに投影されることを特徴とする、請求項１乃至請求項７のいずれかに記載の可動式スクリーンの設置装置。
【発明の詳細な説明】
【技術分野】
【０００１】
本発明は、スクリーンを設置するためのスクリーンの設置装置に関し、より特定的には、横方向にスライド移動可能な可動式スクリーンを設置するための可動式スクリーンの設置装置に関する。
【背景技術】
【０００２】
一般的に、学校等の教育現場、研修会場、およびプレゼンテーション会場等では、黒板、ホワイトボード、あるいは大型スクリーン等を用いて、授業、講義、およびプレゼンテーション等が実施される。また、近年では、情報技術の発展とともに、表示システムの形態として、プロジェクタ、電子黒板、およびインタラクティブボード等も普及している。
【０００３】
そこで、壁面に既設されている黒板やホワイトボードに、プロジェクタ、電子黒板、またはインタラクティブボードを付設することによって、黒板やホワイトボードをそのまま使用しつつ、プロジェクタ、電子黒板、またはインタラクティブボードも使用可能とする設備が提案されている。
【０００４】
例えば、特許文献１では、電子ボードやテレビ等のサブボードを既設の黒板等のメインボードに対して横方向にスライド移動可能とするＩＣＴ教育用マルチシステムが開示されている。
【０００５】
当該ＩＣＴ教育用マルチシステムでは、壁面にマルチガイドレールが取り付けられており、マルチ壁面移動支持体およびボード取付用ハンガーを介して電子ボードやテレビ等のサブボードが配置されている。当該ＩＣＴ教育用マルチシステムは、壁面にマルチガイドレールを取り付けているため、黒板等のメインボードに拘束されることなく自由にサブボードを設置することができる。
【０００６】
しかしながら、当該ＩＣＴ教育用マルチシステムは、設置の自由度を確保するために、既設のメインボードの上方の壁面にマルチガイドレールを取り付け、当該１本のガイドレールで支持されるサブボードを設けている。このため、サブボードは、メインボードの上方から吊持されているものの、その下部は固定されておらず、壁面から離れる方向に煽られるという問題がある。
【０００７】
一方、特許文献２では、黒板等のボード本体の上下に平行に２本のガイドレールを配置し、当該ガイドレールに沿って移動可能な支持枠を介して薄型モニターを備えたボードが開示されている。
【０００８】
当該薄型モニターを備えたボードは、黒板等のボード本体の上下に配置されたガイドレールによって支持枠が固定されているため、当該支持枠およびそれに係着された薄型モニターは、壁面から離れる方向に煽られることはない。また、当該ガイドレールは、ボード本体の範囲を超えて延びるように配置されている。
【先行技術文献】
【特許文献】
【０００９】
【特許文献１】特開２０１２−５６２７０号公報
【特許文献２】特開２０１１−１１６０８１号公報
【発明の概要】
【発明が解決しようとする課題】
【００１０】
しかしながら、特許文献２に記載の薄型モニターを備えたボードでは、黒板等のボード本体の下部に配置されるガイドレールについて、当該ボード本体の範囲を超えて延びるように配置することが問題となる場合がある。
【００１１】
具体的には、既設の黒板等のメインボードの上方においては、当該メインボードの範囲内外で当該メインボードおよび／または壁面に沿ってガイドレールを設置すればよい。
【００１２】
既設の黒板等のメインボードの下方においては、当該メインボードの範囲内であれば、当該メインボードおよび／または壁面に沿って比較的問題なくガイドレールを設置することが可能である。なお、当該メインボードの枠等を利用しても構わない。
【００１３】
一方、既設の黒板等のメインボードの下方において、当該メインボードの範囲外であれば、単純に当該メインボードの範囲内に設置するガイドレールを延長すれば良いというわけにはいかない。
【００１４】
学校等の教育現場では、壁面に既設されている黒板等のメインボードの横（外側）に、掲示板等が配置されている場合も多い。当該掲示板等の領域にガイドレールを設置すると、掲示板の利用が制限される可能性がある。さらには、メインボードの下部の高さは、容易く人の手が届く高さであることから、そこにガイドレールが設置されていると、特に子供や学生などの行動を鑑みると怪我する危険性もある。
【００１５】
また、昨今、曲面黒板が広く普及しているが、例えば、壁面に取り付けられている曲面黒板の左右両端領域は、中央部分に比べて看者側（曲面黒板が設置されている壁面から離れる方向）に突出している。当該突出した箇所から、曲面黒板の横（外側）に配置されている掲示板の領域にも、さらに曲面黒板の外側方向に延びるようにガイドレールを設置する場合、当該ガイドレールを設置するための施工が容易ではない。壁面から看者側に相当突出した位置にガイドレールが設置されれば、さらに危険性が増し、見栄えも悪くなる可能性もある。
【００１６】
それ故に、本発明は、上記のような課題に鑑みてなされたものであって、本発明の目的の１つは、既設のメインボードの横方向における範囲内外で、当該メインボードから離れる方向（看者側）に煽られることなく横方向にスライド移動可能なスクリーンを容易に取り付けることができる可動式スクリーンの設置装置を提供することである。
【課題を解決するための手段】
【００１７】
上記目的を達成するために、本発明は、少なくとも以下のような構成を備え、もしくは手順を実行する。なお、以下の説明において、本発明の理解を容易にするために図面に示されている符号等を付記する場合があるが、本発明の各構成要素は、図面に示されているものに限定されるものではなく、当業者が技術的に理解しうる範囲にまで広く解釈されるべきものである。
【００１８】
本発明の一局面に係る可動式スクリーンの設置装置は、既設のメインボードに対して横方向にスライド移動可能なスクリーンを設置するための可動式スクリーンの設置装置であって、前記メインボードの上方部に当該メインボードの上辺に沿って略水平方向に配置されるとともに、当該メインボードの上辺が略水平方向に延びる方向に沿って当該メインボードの領域外に延びるように配置される上方部ガイドレールと、前記スクリーンを保持するとともに、前記上方部ガイドレールに沿って横方向にスライド移動可能な保持手段と、前記メインボードの下方部に当該メインボードの下辺に沿って略水平方向に配置され、両端領域に第１の係止手段を構成する下方部ガイドレールと、前記保持手段のうち下部領域に略水平方向に延びるように配置され、両端領域に第２の係止手段を構成する移動ガイドレールと、前記下方部ガイドレールおよび前記移動ガイドレールに沿って横方向にスライド移動可能なスライド制御部材とを備える。
かかる構成により、本発明の一局面に係る可動式スクリーンの設置装置は、既設のメインボードの横方向における範囲内外で当該メインボードから離れる方向（看者側）に大きく煽られることなく横方向にスライド移動可能なスクリーンを容易に取り付けることができる。
【００１９】
また、より好ましくは、前記スライド制御部材は、前記下方部ガイドレールの両端領域それぞれにおいて前記第１の係止手段によって係止され、前記移動ガイドレールに対する相対位置が変動可能であるとともに、当該移動ガイドレールの両端領域それぞれにおいて前記第２の係止手段によって係止されることを特徴とする。
かかる構成により、本発明の一局面に係る可動式スクリーンの設置装置は、前記第１の係止手段および第２の係止手段によって前記スライド制御部材の移動範囲が制限されるため、スクリーンをより安定して安全にスライド移動させることができる。
【００２０】
また、より好ましくは、前記スライド制御部材は、前記移動ガイドレールに係合しつつ、相対的にスライド移動可能な構成であることを特徴とする。
かかる構成により、本発明の一局面に係る可動式スクリーンの設置装置は、前記スライド制御部材が前記移動ガイドレールに係合しているため、スクリーンをより安定して安全にスライド移動させることができる。
特に、既設のメインボードの横方向における範囲外においてスクリーンが横方向にスライド移動する際にも、前記スライド制御部材が前記移動ガイドレールに係合しているため、当該スライドが当該メインボードから離れる方向（看者側）に大きく煽られることなく、より安定して安全にスライド移動させることができる。
【００２１】
また、より好ましくは、前記移動ガイドレールは、両端領域に金属製部材を含むように構成されており、前記スライド制御部材は、前記金属製部材で構成された領域に当接するマグネットを含むように構成されていることを特徴とする。
かかる構成により、本発明の一局面に係る可動式スクリーンの設置装置は、前記スライド制御部材が前記移動ガイドレールの両端領域に位置する際に、当該スライド制御部材のマグネットが当該移動ガイドレールの両端領域に備えられた金属製部材に吸着する。その結果、スクリーンを保持している保持手段を横方向にスライド移動させる場合、前記スライド制御部材が一体となって横方向に移動するため、より安定してスムーズにスライド移動させることができる。
【００２２】
また、より好ましくは、前記スライド制御部材は、前記移動ガイドレールを摺動または転動するガイドローラーを含むように構成されていることを特徴とする。
かかる構成により、本発明の一局面に係る可動式スクリーンの設置装置は、ガイドローラーが前記移動ガイドレールを摺動または転動するため、スクリーンをより安定してスムーズにスライド移動させることができる。
【００２３】
また、より好ましくは、前記下方部ガイドレールは、前記スライド制御部材が当該下方部ガイドレールに沿って横方向にスライド移動する際に、前記メインボードから離れる方向への前記スライド制御部材の移動を規制するように構成されていることを特徴とする。
かかる構成により、本発明の一局面に係る可動式スクリーンの設置装置は、前記第１の係止手段は、両端領域それぞれにおいて、前記スライド制御部材の移動を規制することができる。その結果、移動ガイドレールを備える保持手段の移動も規制され、保持手段に保持されているスクリーンも規定された範囲内でスライド移動することができるようになっているため、より安全性が確保できている。
【００２４】
また、より好ましくは、前記第１の係止手段は、前記下方部ガイドレールの両端領域それぞれを閉口するように構成されており、前記下方部ガイドレールに沿って横方向にスライド移動するスライド制御部材が、当該両端領域それぞれにおいて、前記メインボードの中央部から離れる外側方向へ移動することを規制することを特徴とする。
かかる構成により、本発明の一局面に係る可動式スクリーンの設置装置は、前記第１の係止手段が前記下方部ガイドレールの両端領域それぞれを閉口するように構成されているため、より簡単な構成で、両端領域それぞれにおいて、前記スライド制御部材の移動を規制することができる。その結果、移動ガイドレールを備える保持手段の移動も規制され、保持手段に保持されているスクリーンも規定された範囲内でスライド移動することができるようになっているため、より安全性が確保できている。
【００２５】
また、より好ましくは、前記保持手段は、プロジェクタを保持するプロジェクタ保持部を有し、当該プロジェクタからの画像は、前記スクリーンに投影されることを特徴とする。
かかる構成により、本発明の一局面に係る可動式スクリーンの設置装置は、前記保持手段の横方向へのスライド移動に伴って前記プロジェクタおよびスクリーンが連動してスライド移動するため、いずれの位置においても前記プロジェクタからの画像を前記スクリーンに投影させることができる。
【発明の効果】
【００２６】
以上のように、本発明によれば、既設のメインボードの横方向における範囲内外で、当該メインボードから離れる方向（看者側）に煽られることなく横方向にスライド移動可能なスクリーンを容易に取り付けることができる可動式スクリーンの設置装置を提供することである。
【図面の簡単な説明】
【００２７】
【図１】本発明の一実施形態に係る可動式スクリーンの設置装置１００の全体を示す概要図である。
【図２】本発明の一実施形態に係る可動式スクリーンの設置装置１００の全体を示す側面図である。
【図３】本発明の一実施形態に係る可動式スクリーンの設置装置１００において、スクリーン３０が黒板１０の右方向における範囲外に横方向にスライド移動した様子を示す（Ａ）正面図および（Ｂ）平面図である。
【図４】本発明の一実施形態に係る可動式スクリーンの設置装置１００のうち、スクリーン３０が黒板１０の右方向における範囲外（掲示板２０Ｂ側）に横方向にスライド移動した際の、下方部ガイドレール１３０近傍の様子を示す（Ａ）正面拡大図および（Ｂ）側面拡大図である。
【発明を実施するための形態】
【００２８】
以下、本発明の一実施形態について、図面を参照しながら具体的に説明する。なお、以下で説明する実施形態は、あくまで、本発明を実施するための具体的な一例を挙げるものであって、本発明を限定的に解釈させるものではない。
【００２９】
［全体構造］
図１は、本発明の一実施形態に係る可動式スクリーンの設置装置１００の全体を示す概要図であり、図２は、本発明の一実施形態に係る可動式スクリーンの設置装置１００の全体を示す側面図である。
【００３０】
図１において、壁面に既設されている黒板（メインボード）１０の左側に掲示板２０Ａおよび右側に掲示板２０Ｂが配置されており、可動式スクリーンの設置装置１００は、スクリーン３０を当該既設の黒板１０に対して横方向にスライド移動可能としている。なお、ここでは、プロジェクタ４０が横方向にスライド移動することに連動して、当該プロジェクタ４０からの画像を投影するためのスクリーン３０も横方向にスライド移動するように構成されている。
【００３１】
可動式スクリーンの設置装置１００は、上方部ガイドレール１１０と、支持枠（保持手段）１２０と、下方部ガイドレール１３０と、ストッパー（第１の係止手段）１４０Ａ，１４０Ｂと、移動ガイドレール１５０と、スライド制御部材１６０とを備える。
【００３２】
上方部ガイドレール１１０は、壁面に既設されている黒板１０の上方部に当該黒板１０の上辺に沿って略水平方向に配置されている。さらに、上方部ガイドレール１１０は、黒板１０の上方部のみならず、当該黒板１０の両側の掲示板２０Ａ，２０Ｂの上方部にも配置されている。換言すれば、上方部ガイドレール１１０は、当該黒板１０の上辺が略水平方向に延びる方向に沿って当該黒板１０の領域外に延びるように配置されている。
【００３３】
なお、上方部ガイドレール１１０は、黒板１０の上方部に当該黒板１０上辺に沿って略水平方向に配置されるが、より具体的には、当該黒板１０上辺に沿って壁面に取り付けられても構わないし、当該黒板１０の上辺枠に隣接するように壁面または当該上辺枠に取り付けられても構わない。また、当該黒板１０の上辺枠、または当該黒板１０の上辺枠の内側であって当該黒板１０の領域内に重畳するように取り付けられても構わない。
【００３４】
支持枠１２０には、スクリーン３０が保持されており、さらに、上方部ガイドレール１１０を走行する２つのガイドローラー１２１Ａ，１２１Ｂが配置されており、上方部ガイドレール１１０に沿って横方向にスライド移動可能となっている。そして、支持枠１２０は、プロジェクタ４０を保持するためのプロジェクタ保持部１２２を有することから、支持枠１２０が上方部ガイドレール１１０に沿って横方向にスライド移動することによって、プロジェクタ４０およびスクリーン３０が横方向にスライド移動する構成となっている。
【００３５】
なお、プロジェクタ保持部１２２は、支持枠１２０と一体的に構成されていても構わないが、上下左右や前後、およびスクリーン３０に対する角度が調整可能なように複数の部材で構成されていても構わない。
【００３６】
また、支持枠１２０の下方部における裏側（看者側からは視認できない黒板１０側）には移動ガイドレール１５０が配置されており、当該移動ガイドレール１５０を走行するスライド制御部材１６０が配置されているが、これらの詳細については、後述する。
【００３７】
下方部ガイドレール１３０は、壁面に既設されている黒板１０の下方部に当該黒板１０の下辺に沿って略水平方向に配置されている。下方部ガイドレール１３０は、上方部ガイドレール１１０とは異なり、当該黒板１０の下辺が略水平方向に延びる方向に沿って当該黒板１０の領域外に延びるように、当該黒板１０の両側の掲示板２０Ａ，２０Ｂの領域に配置されている必要はない。
【００３８】
なお、下方部ガイドレール１３０は、黒板１０の下方部に当該黒板１０下辺に沿って略水平方向に配置されるが、より具体的には、当該黒板１０下辺枠を利用し、または当該下辺枠に取り付けられても構わない。また、当該黒板１０の下辺枠、または当該黒板１０の下辺枠の内側であって当該黒板１０の領域内に重畳するように取り付けられても構わない。
【００３９】
下方部ガイドレール１３０は、看者側から見てスライド制御部材１６０の一部を覆うように構成されており、より好ましくは、当該スライド制御部材１６０の一部が係合するように構成されることによって、当該黒板１０から看者側へ離れる方向に、スクリーン３０が煽られることを防止している。
【００４０】
なお、ここでは、スライド制御部材１６０がガイドローラーを有しており、当該ガイドローラーが下方部ガイドレール１３０に係合しながら走行するように構成されている。その結果、支持枠１２０に保持されたスクリーン３０が煽られることを防止するとともに、安定して横方向へスライド移動させることができるようになっている。
【００４１】
スライド制御部材１６０は、下方部ガイドレール１３０に係合しながら走行（転動）するガイドローラーを必ずしも有している必要はなく、例えば、下方部ガイドレール１３０に係合しながら摺動する部材を備えていても構わない。さらには、スライド制御部材１６０の一部が、常時、下方部ガイドレール１３０に接している必要も、係合している必要もなく、スクリーン３０が煽られることを防止するように、下方部ガイドレール１３０にガイドされる構成であればよい。
【００４２】
ストッパー１４０Ａ，１４０Ｂは、下方部ガイドレール１３０の両端領域それぞれに配置されており、スライド制御部材１６０は、下方部ガイドレール１３０に沿って横方向にスライド移動する際、当該ストッパー１４０Ａ，１４０Ｂ間をスライド移動することになる。
【００４３】
より具体的には、看者側から下方部ガイドレール１３０の左側端領域に配置されたストッパー１４０Ａは、当該下方部ガイドレール１３０に沿って横方向にスライド移動するスライド制御部材１６０が、左側端領域において黒板１０の中央部から離れる外側方向へ移動することを規制するように構成されている。
【００４４】
同様に、看者側から下方部ガイドレール１３０の右側端領域に配置されたストッパー１４０Ｂは、当該下方部ガイドレール１３０に沿って横方向にスライド移動するスライド制御部材１６０が、右側端領域において黒板１０の中央部から離れる外側方向へ移動することを規制するように構成されている。
【００４５】
なお、ストッパー１４０Ａ，１４０Ｂは、下方部ガイドレール１３０の左側端領域および右側端領域をそれぞれ閉口するように構成されていても構わないし、スライド制御部材１６０が引っ掛かるような部材を配置していても構わない。
【００４６】
移動ガイドレール１５０は、支持枠１２０のうち下部領域であって、当該支持枠１２０における裏側（看者側からは視認できない黒板１０側）に略水平方向に延びるように配置されている。典型的には、スライド制御部材１６０の一部は、下方部ガイドレール１３０に沿って走行するガイドローラーを備え、一部は、当該移動ガイドレール１５０に沿って走行するガイドローラーを備えている。
【００４７】
なお、支持枠１２０も横方向にスライド移動可能な構成であるため、固定された支持枠１２０における移動ガイドレール１５０に沿ってスライド制御部材１６０が走行（移動）することに限らず、固定されたスライド制御部材１６０に対して移動ガイドレール１５０を介して支持枠１２０が移動することも含まれる。換言すれば、移動ガイドレール１５０とスライド制御部材１６０とは相対位置が変動可能な構成となっている。
【００４８】
また、移動ガイドレール１５０の両端領域それぞれにおいては、スライド制御部材１６０が係止されるように構成されている。例えば、移動ガイドレール１５０の両端領域それぞれ閉口するように構成されていても構わないし、スライド制御部材１６０が引っ掛かるような部材を配置していても構わない。
【００４９】
これにより、移動ガイドレール１５０からスライド制御部材１６０が分離することを防止することができる。また、スライド制御部材１６０は、下方部ガイドレール１３０に沿ってストッパー１４０Ａ，１４０Ｂ間である所定の範囲内で移動することから、支持枠１２０が黒板１０から大きく外れるようなことはなく、適切にスライド移動を制御することができる。
【００５０】
［動作］
次に、スライド制御部材１６０および支持枠１２０が横方向にスライド移動することによって、支持枠１２０に保持されたスクリーン３０が配置される様子について説明する。
【００５１】
図３は、本発明の一実施形態に係る可動式スクリーンの設置装置１００において、スクリーン３０が黒板１０の右方向における範囲外に横方向にスライド移動した様子を示す（Ａ）正面図および（Ｂ）平面図である。なお、図３においては、図１および図２で説明した各構成のうち、スクリーン３０が横方向にスライド移動する様子を説明するために特に必要な構成を中心に図示している。
【００５２】
図３において、黒板１０の右側に配置されている掲示板２０Ｂの方向に支持枠１２０を横方向にスライド移動することによって、看者側から見て、支持枠１２０に保持されたスクリーン３０が掲示板２０Ｂに重畳するように配置されている。
【００５３】
上方部ガイドレール１１０は、黒板１０および掲示板２０Ｂの上方部において配置されており、支持枠１２０に配置された２つのガイドローラー１２１Ａ，１２１Ｂが当該上方部ガイドレール１１０に沿って走行する。
【００５４】
一方、下方部ガイドレール１３０は、黒板１０の下方部に当該黒板１０の下辺に沿って略水平方向に配置されており、当該下方部ガイドレール１３０の右端領域にストッパー１４０Ｂが配置されている。なお、下方部ガイドレール１３０は、上方部ガイドレール１１０のように、掲示板２０Ｂの領域には配置されていない。
【００５５】
黒板１０の右側に配置されている掲示板２０Ｂの方向に支持枠１２０を横方向にスライド移動することによって、スライド制御部材１６０が下方部ガイドレール１３０に沿って横方向にスライド移動する。この際、スライド制御部材１６０に備えられているガイドローラーが下方部ガイドレール１３０に係合しながら走行するように構成されているため、支持枠１２０は黒板１０から看者側へ離れる方向に煽られることなく、安定して横方向にスライド移動させることができる。
【００５６】
また、スライド制御部材１６０がストッパー１４０Ｂの位置まで来ると、当該ストッパー１４０Ｂによって、それ以上右側（黒板１０から掲示板２０Ｂの方向）への移動が規制される。スライド制御部材１６０は、当該ストッパー１４０Ｂの位置に留まることになるが、支持枠１２０には移動ガイドレール１５０が配置されており、当該移動ガイドレール１５０がスライド制御部材１６０に備えられたガイドローラーによって黒板１０から掲示板２０Ｂの方向へスライド移動することができる。
【００５７】
支持枠１２０が黒板１０から掲示板２０Ｂの方向へスライド移動する際、２つのガイドローラー１２１Ａ，１２１Ｂが上方部ガイドレール１１０に沿って走行するとともに、下方部は、ストッパー１４０Ｂの位置に留まっているスライド制御部材１６０に移動ガイドレール１５０が係合しながらスライド移動する。
【００５８】
これにより、上方部は、２つのガイドローラー１２１Ａ，１２１Ｂが上方部ガイドレール１１０に係合し、下方部は、スライド制御部材１６０が移動ガイドレール１５０に係合しているため、支持枠１２０は黒板１０から看者側へ離れる方向に煽られることなく、安定して安全に横方向にスライド移動させることができる。
【００５９】
なお、黒板１０が曲面黒板である場合、図３（Ｂ）平面図に示すように、黒板１０の右端は、掲示板２０Ｂに対して看者側に突出しているため、黒板１０の下方部ガイドレール１３０を略水平方向に掲示板２０Ｂの領域まで延びる方向に沿って設定することは容易ではない。しかしながら、可動式スクリーンの設置装置１００の構成であれば、掲示板２０Ｂの領域まで下方部ガイドレール１３０を延ばさなくても、ストッパー１４０Ｂの位置で支持枠１２０を保持しつつ、煽られることなく安定して安全に横方向へスライド移動させることができる。
【００６０】
以上のように、本発明の一実施形態に係る可動式スクリーンの設置装置１００によれば、既設の黒板１０の横方向における範囲内外で、当該黒板１０から離れる方向（看者側）に煽られることなく横方向にスライド移動可能なスクリーン３０を容易に取り付けることができる。
【００６１】
［詳細］
図４は、本発明の一実施形態に係る可動式スクリーンの設置装置１００のうち、スクリーン３０が黒板１０の右方向における範囲外（掲示板２０Ｂ側）に横方向にスライド移動した際の、下方部ガイドレール１３０近傍の様子を示す（Ａ）正面拡大図および（Ｂ）側面拡大図である。
【００６２】
図４（Ａ）において、スライド制御部材１６０がストッパー１４０Ｂの位置で留まっていることを示している。そして、支持枠１２０は、スライド制御部材１６０に備えられたガイドローラーが移動ガイドレール１５０に係合しながら走行するため、ストッパー１４０Ｂの位置で保持されつつ、掲示板２０Ｂ側へスライド移動することになる。
【００６３】
なお、スライド制御部材１６０に備えられたガイドローラーが移動ガイドレール１５０に係合しながら走行するとは、スライド制御部材１６０の絶対的位置が変動するだけでなく、固定されたスライド制御部材１６０に対して、移動ガイドレール１５０の絶対位置が変動するという意味も含む。換言すれば、スライド制御部材１６０と移動ガイドレール１５０との相対位置が変動するという意味を含む。
【００６４】
また、移動ガイドレール１５０の両端領域それぞれには、少なくとも一部が金属製部材で構成されたマグネット当接部１７０を有しており、スライド制御部材１６０に含まれるマグネット１６１Ａが当接する。これにより、例えば、その後、支持枠１２０が左方向にスライド移動したとしても、スライド制御部材１６０が取り残されることなく、左方向に移動することになる。その結果、支持枠１２０が左方向にスライド移動する際にも、スライド制御部材１６０が下方部ガイドレールに沿って移動するため、支持枠１２０は黒板１０から看者側へ離れる方向に煽られることなく、安定して安全に横方向にスライド移動させることができる。
【００６５】
なお、本実施形態では、スクリーン３０が黒板１０の右方向における範囲外に横方向にスライド移動する様子を中心に説明したが、スクリーン３０が黒板１０の左方向における範囲外に横方向にスライド移動する場合も同様の動作になることは言うまでもない。
【００６６】
また、本実施形態では、壁面に既設されている黒板１０をメインボードとし、プロジェクタ４０からの画像を投影するスクリーン３０を例示して説明したが、これに限定されるものでなく、例えば、電子黒板、インタラクティブボード、単なる黒板やホワイトボード、液晶モニター、およびテレビ等その他表示形態で構成されていても構わない。
【００６７】
以上、本発明の一実施形態についての具体的な説明を行った。上記説明は、あくまで一実施形態としての説明であって、本発明の範囲はこの一実施形態に留まらず、当業者が把握可能な範囲にまで広く解釈されるものである。
【産業上の利用可能性】
【００６８】
本発明は、横方向にスライド移動可能なスクリーン等に利用可能であって、特に、黒板、ホワイトボード、大型スクリーン、プロジェクタ、電子黒板、およびインタラクティブボードを設置する場合等に有用である。
【符号の説明】
【００６９】
１０  黒板（メインボード）
２０Ａ，２０Ｂ  掲示板
３０  スクリーン
４０  プロジェクタ
１００  可動式スクリーンの設置装置
１１０  上方部ガイドレール
１２０  支持枠（保持手段）
１２１Ａ，１２１Ｂ  ガイドローラー
１２２  プロジェクタ保持部
１３０  下方部ガイドローラー
１４０Ａ，１４０Ｂ  ストッパー（第１の係止手段）
１５０  移動ガイドローラー
１６０  スライド制御部材
１６１Ａ，１６１Ｂ  マグネット
１７０  マグネット当接部
【図１】
2019184712.tif 000003
【図２】
2019184712.tif 000004
【図３】
2019184712.tif 000005
【図４】
2019184712.tif 000006